(57)【特許請求の範囲】
【請求項１】
住宅基礎Ｋの断面形状と同じ断面形状の住宅基礎試料片３を、光透過性材料により構成し、該住宅基礎試料片３を、上部挟持体５と下部挟持体７との間に挟持し、上部挟持体５と下部挟持体７の間隙を調整して、住宅基礎試料片３に住宅基礎と同じ方向に荷重を掛け、該荷重Ｗを荷重調節ハンドル６の操作により調整可能とし、
該住宅基礎試料片３の変形状態を住宅建築予定者が視認出来るように、該住宅基礎試料片３の下方に光源１を配置し、該光源１から発生し、かつ下部偏光板２を通過させた偏光は、住宅基礎試料片３を透過させ、該住宅基礎試料片３を通過した偏光を、更に上部に配置した位相の相違する上部偏光板４を通過した状態で視認可能とし、
該光源１と下部偏光板２と上部偏光板４と住宅基礎試料片３と上部挟持体５と下部挟持体７は、住宅建築予定者の視線と直交する方向に傾斜配置し、荷重調節ハンドル６は住宅建築予定者が操作可能としたことを特徴とする住宅基礎の強度視認装置。
【請求項２】
請求項１記載の住宅基礎の強度視認装置において、光透過性材料により構成した住宅基礎試料片３を、住宅基礎Ｋの種々な断面に応じた各種断面のものを用意し、上部挟持体５と下部挟持体７に配置する住宅基礎試料片３を交換可能としたことを特徴とする住宅基礎の強度視認装置。
【発明の詳細な説明】
【０００１】
【発明の属する技術分野】
本発明は、住宅の基礎がどの程度の荷重に耐えられるものなのか、また、地震等が発生した場合に、どのように住宅基礎が荷重を支持するのかを、住宅建築予定者が視認することが出来るように構成した装置に関する。
【０００２】
【従来の技術】
従来は、住宅を建てる際における住宅基礎は、単にコンクリートを打設し、その上面に、大引けの部分が載置されるだけのものであり、住宅が台風や地震に際して、住宅基礎と大引けの間が離れないようにボルト締めしている程度のものであった。
更に、在来の木造では、隅の部分に建てた基礎の上に、柱を載置するだけであり、地震の大きな振動の場合には、柱と住宅基礎との間が外れる可能性もあったのである。
【０００３】
近年は、地震や台風に対する基礎の支持力の向上が図られるようになり、基礎の内部に縦筋や横筋等を入れて、かつ住宅基礎Ｋの地下部分にも、浮き上がりを防止する為に埋設鉄筋等も固設するようになってきたのである。
また、住宅基礎Ｋの形状も、図６に示す如く、その断面形状が応力分析の結果、改造されてきたのである。そして、現在の形状の住宅基礎Ｋが最も、支持荷重を受ける場合に理論的にも良好なのである。
【０００４】
【発明が解決しようとする課題】
本発明は、実際には荷重をどのように受け入れて、住宅基礎の内部応力が発生しているのかを視認することの出来ない点を改善して、簡単に住宅基礎の内部応力の発生状況を視認することが出来る装置を提供するものである。
【０００５】
この装置を住宅展示場や住宅設計情報提供施設に配置して、住宅建築予定者が荷重調節ハンドルを操作することにより、徐々に荷重が増減され、住宅基礎の内部応力が変化していく様を、見ることによって、住宅基礎の強固さと頑丈さを理解し、住宅建築の依頼をすることを決心する為の、住宅販促ツールとして使用することが出来るものである。
【０００６】
【課題を解決するための手段】
本発明が解決しようとする課題は以上の如くであり、次に該課題を解決するための手段を説明する。
請求項１においては、住宅基礎Ｋの断面形状と同じ断面形状の住宅基礎試料片３を、光透過性材料により構成し、該住宅基礎試料片３を、上部挟持体５と下部挟持体７との間に挟持し、上部挟持体５と下部挟持体７の間隙を調整して、住宅基礎試料片３に住宅基礎と同じ方向に荷重を掛け、該荷重Ｗを荷重調節ハンドル６の操作により調整可能とし、該住宅基礎試料片３の変形状態を住宅建築予定者が視認出来るように、該住宅基礎試料片３の下方に光源１を配置し、該光源１から発生し、かつ下部偏光板２を通過させた偏光は、住宅基礎試料片３を透過させ、該住宅基礎試料片３を通過した偏光を、更に上部に配置した位相の相違する上部偏光板４を通過した状態で視認可能とし、該光源１と下部偏光板２と上部偏光板４と住宅基礎試料片３と上部挟持体５と下部挟持体７は、住宅建築予定者の視線と直交する方向に傾斜配置し、荷重調節ハンドル６は住宅建築予定者が操作可能としたものである。
【０００７】
請求項２においては、請求項１記載の住宅基礎の強度視認装置において、光透過性材料により構成した住宅基礎試料片３を、住宅基礎Ｋの種々な断面に応じた各種断面のものを用意し、上部挟持体５と下部挟持体７に配置する住宅基礎試料片３を交換可能としたものである。
【０００７】
【発明の実施の形態】
次に本発明の実施の形態を説明する。
図１は住宅基礎Ｋの断面図、図２は本発明の住宅基礎の強度視認装置の斜視図、図３は本発明の住宅基礎の強度視認装置の正面図、図４は本発明の住宅基礎の強度視認装置の要部を示す分解状態の図面、図５は本発明の住宅基礎の強度視認装置の作動原理を示す図面、図６はこれまでの住宅基礎Ｋの変遷を示す図面である。
【０００８】
図６に示す如く、現在の住宅基礎Ｋは、初期の住宅基礎Ｋ１やＫ２に比較して、地上に出た部分の厚みが増加し、また地下に埋設された部分の幅と厚みが増しているのである。そして、現在の住宅基礎Ｋは図６と図１に示す如く、地下に埋設した部分の型の部分に傾斜切欠面１２を構成して、該部分のコンクリート厚を節約して、その他の地上、地下部分の厚みを増加することが可能となっているのてある。
【００１０】
前記住宅基礎Ｋの傾斜切欠面１２の部分を構成したことが、荷重Ｗの支持力の減少に繋がっていないことを、本発明の住宅基礎の強度視認装置により証明することが出来るのである。該傾斜切欠面１２により切り欠いた部分は、内部応力の発生しない部分であり、支持力を発揮していない部分なのである。このことを、住宅基礎の強度視認装置により視認することが出来る。
図１においては、現在の住宅基礎Ｋを図示している。住宅基礎Ｋの内部には縦鉄筋１０と横鉄筋１１が配置されている。
【００１１】
本発明の住宅基礎の強度視認装置の構成を図２と図３と図４と図５において説明する。
本住宅基礎の強度視認装置において使用する住宅基礎Ｋは、実際のコンクリート製の住宅基礎Ｋではなくて、同じ断面形状をしている光透過性材料により構成した住宅基礎試料片３である。該住宅基礎試料片３は結晶質の弾性体により構成されている。
そして、該住宅基礎試料片３を住宅基礎Ｋに見立てて、該住宅基礎試料片３に荷重Ｗを掛けるのが、上部挟持体５と下部挟持体７である。該下部挟持体７の方を荷重調節ハンドル６により移動させて、上部挟持体５と下部挟持体７の間の間隙を広げたり閉じたりすることが出来るので、広げた状態で住宅基礎試料片３の交換を行うのである。
【００１２】
前記下部挟持体７を下降した状態で住宅基礎試料片３を載置し、該荷重調節ハンドル６により下部挟持体７を上部挟持体５に近づけて、上部挟持体５と下部挟持体７の間で挟持することにより、荷重Ｗを掛けた住宅基礎Ｋと同じ状態が発生するのである。
しかし、このように上部挟持体５と下部挟持体７により住宅基礎試料片３に荷重Ｗを掛けただけでは、住宅基礎試料片３に発生する内部応力を見ることが出来ないのである。
【００１３】
本発明においては、この住宅基礎試料片３に、光源１から発生し、下部偏光板２を通過させた、偏光を透過させるのである。そして、該住宅基礎試料片３を通過した偏光を、更に上部の位相の相違する上部偏光板４を通過した状態で、住宅建築予定者が見るのである。
これにより、住宅基礎試料片３に内部応力が発生していない変形の無い状態では、住宅基礎試料片３を通過する光は、ねじ曲げられていないので、上部偏光板４を通過した光を見ても、住宅基礎試料片３の部分に内部応力の状態を示す光の渦は見えないのである。
【００１４】
しかし、住宅基礎試料片３が上部挟持体５と下部挟持体７により、荷重Ｗを掛けられて変形すると、内部の結晶質のねじ曲げが発生して、光の反射がいびつとなり、下部偏光板２を通過した一定の方向性を具備させられた偏光が、住宅基礎試料片３で方向性が歪となり、次に上部偏光板４を通過すると、光の渦が、住宅基礎試料片３に発生したように見えるのである。該光の渦が、内部応力の発生と一致するので、住宅建築予定者はこれを見ることにより、住宅基礎試料片３のどの位置に、どの程度の強度の内部応力が発生しているかを視認することが出来るのである。
【００１５】
前記光源１と下部偏光板２と上部偏光板４と住宅基礎試料片３と上部挟持体５と下部挟持体７と荷重調節ハンドル６は、支持フレーム８の上に、見る人が視線と直交する方向に傾斜して載置されている。
また、荷重調節ハンドル６は下部挟持体７を上下方向に調整可能としている。上部偏光板４は、住宅基礎試料片３のその他の住宅基礎試料片９との間で交換できるように、枢支部２０を中心に上下に回動可能としている。
【００１６】
図５においては、該上部挟持体５と下部挟持体７の間に、荷重調節ハンドル６により荷重Ｗを掛けた場合に、住宅基礎試料片３の内部に発生する光の渦が図示されている。該光の渦において図示する如く、傾斜切欠面１２の部分は内部応力の発生の少ない部分であり、住宅基礎Ｋの支持力に余り寄与していない部分であることが理解できる。
【００１７】
【発明の効果】
本発明は以上の如く構成したので、次のような効果を発生するのである。
請求項１の如く、住宅基礎Ｋの断面形状と同じ断面形状の住宅基礎試料片３を、光透過性材料により構成し、該住宅基礎試料片３を、上部挟持体５と下部挟持体７との間に挟持し、上部挟持体５と下部挟持体７の間隙を調整して、住宅基礎試料片３に住宅基礎と同じ方向に荷重を掛け、該荷重Ｗを荷重調節ハンドル６の操作により調整可能とし、該住宅基礎試料片３の変形状態を住宅建築予定者が視認出来るように、該住宅基礎試料片３の下方に光源１を配置し、該光源１から発生し、かつ下部偏光板２を通過させた偏光は、住宅基礎試料片３を透過させ、該住宅基礎試料片３を通過した偏光を、更に上部に配置した位相の相違する上部偏光板４を通過した状態で視認可能とし、該光源１と下部偏光板２と上部偏光板４と住宅基礎試料片３と上部挟持体５と下部挟持体７は、住宅建築予定者の視線と直交する方向に傾斜配置し、荷重調節ハンドル６は住宅建築予定者が操作可能としたので、、結晶質の弾性体により構成した光透過性材料の住宅基礎試料片３の内部に、内部応力の発生に応じた光の渦を視認することができ、該光の渦の発生度の強い部分ほど応力発生の強い部分であり、この光の渦の強弱により、住宅基礎Ｋに発生する内部応力の強弱を表現することが出来るのである。
これにより、住宅基礎Ｋの強度に必要な構造を知ることができ、住宅基礎Ｋに対する安全度を確認できるので、住宅建築の注文まで持ち込むことが出来るのである。
【００１８】
また、住宅基礎試料片３を上部挟持体５と下部挟持体７との間に挟持し、荷重調節ハンドル６により、上部挟持体５と下部挟持体７の間隙を調整して、荷重Ｗを調整可能としたので、住宅建築予定者はこの荷重調節ハンドル６を操作して、荷重Ｗを調整することができ、台風や地震等の如く、非常時のような過剰荷重を掛けて、住宅基礎Ｋの安全性を確かめることも出来るのである。
荷重調節ハンドル６の操作により、内部応力の発生具合を変化させて、充分に住宅基礎Ｋの支持力と耐久力を視認することが出来るのである。
【００１９】
請求項２の如く、請求項１記載の住宅基礎の強度視認装置において、光透過性材料により構成した住宅基礎試料片３を、住宅基礎Ｋの種々な断面に応じた各種断面のものを用意し、上部挟持体５と下部挟持体７に配置する住宅基礎試料片３を交換可能としたので、これまでの住宅基礎Ｋ１・Ｋ２等の住宅基礎試料片３や、厚さの薄い住宅基礎Ｋや、特に厚さの厚い住宅基礎Ｋの住宅基礎試料片３等に取替えて、その耐久性を確認することが出来るのである。
【図面の簡単な説明】
【図１】  住宅基礎Ｋの断面図。
【図２】  本発明の住宅基礎の強度視認装置の斜視図。
【図３】  本発明の住宅基礎の強度視認装置の正面図。
【図４】  本発明の住宅基礎の強度視認装置の要部を示す分解状態の図面。
【図５】  本発明の住宅基礎の強度視認装置の作動原理を示す図面。
【図６】  これまでの住宅基礎Ｋの変遷を示す図面。
【符号の説明】
Ｋ  住宅基礎
１  光源
２  下部偏光板
３  住宅基礎試料片
４  上部偏光板
５  上部挟持体
６  荷重調節ハンドル
７  下部挟持体
【図１】
0003667453.tif 000002
【図２】
0003667453.tif 000003
【図３】
0003667453.tif 000004
【図４】
0003667453.tif 000005
【図５】
0003667453.tif 000006
【図６】
0003667453.tif 000007